(57)【要約】      （修正有）【課題】リサイクルのための粉砕加工などをせずに、別の用途として使用できるペットボトルを提供する。【解決手段】ペットボトルの表面またはペットボトルのラベルに、ペットボトルが空き容器になった後にカットするラインまたは目安または加工する位置目安が表示されており、それに準じて加工するとスコップまたは容器またはその他の用途として使用できることをデザインのなかに盛り込まれたペットボトルである。【選択図】図２
0003144483.tif 000002
【実用新案登録請求の範囲】
【請求項１】
ペットボトルの空き容器をカットまたは再加工することによりできる、スコップ。
【請求項２】
ペットボトルの空き容器をカットまたは再加工することによりできるスコップ形状のものに更に取っ手を備えたもの。
【請求項３】
ペットボトルの口部に接続可能で、ペットボトルの空き容器を、玩具用バット、バーベル、マラカスにすることができるキャップ以外の治具または取っ手またはジョイント。
【請求項４】
ペットボトルの表面またはペットボトルのラベルに、ペットボトルが空き容器になった後にカットするラインまたは目安または加工する位置目安が表示されており、それに準じて加工するとスコップまたは容器またはその他の用途として使用できることをデザインのなかに盛り込まれたペットボトル。
【考案の詳細な説明】
【技術分野】
【０００１】  本考案は、ペットボトルの空き容器をリサイクルのための粉砕加工をせずに再利用してなるスコップまたは玩具または工作物またはその他の用途として使用できるペットボトルに関するものである。
【背景技術】
【０００２】  ペットボトルは消費者に内容物を使用されたのち、ペットボトル回収制度により回収され、メーカーで洗浄や粉砕や加工工程を経て、新たな商品としてリサイクルされている。リサイクルされた商品としては、カッターシャツやプラスチック用品がある。
【考案の開示】
【考案が解決しようとする課題】
【０００３】  現在のペットボトルのリサイクルは、ペットボトルの空き容器を基原料になるように細かく粉砕加工してペレット状態にしてからの再利用というものが多く、再商品化には多くのコストが必要とされているのが現状であり、ペットボトルの再利用においてムダの無いコストの低い再商品化が課題である。
【課題を解決するための手段】
【０００４】  本考案の請求項１、請求項２、請求項４のペットボトル再利用商品は、ペットボトルの空き容器を通常リサイクルのための粉砕加工などをせずに空き容器そのままを利用し、または空き容器そのままの形状を利用し、新たな用途の商品とできる機能をもたせた。【０００５】  本考案の請求項３のペットボトルの口部に接続可能な、キャップ以外の治具または取っ手またはジョイントは、ペットボトルの空き容器そのものに治具または取っ手またはジョイントを取付けることで、ペットボトルとしての目的とは全く別の用途の商品とできるものとした。全く別の用途の商品とは、玩具のバットであったり、ペットボトル部に水を入れるようにしたバーベルであったり、マラカスなど、接続するジョイントでさまざまな商品にできるようにした。
【考案の効果】
【０００６】  本考案の請求項１、請求項２、請求項３、請求項４によれば、ペットボトルの空き容器そのままを利用して、新たな二次製品としての機能を果たすことができる。コストの低いペットボトルのリサイクル商品、エコ商品として有効である。二次製品として使用されたのち、通常のリサイクル回収へと循環させることができる。
【考案を実施するための最良の形態】
【０００７】  本考案の請求項１は、ペットボトルの中央胴体部分を最終形状となるスコップまたは容器の形になるようにカットしたものである。スコップの場合は、取っ手としてペットボトルの口部分を利用するとよい。この取っ手部分は、もともとペットボトルについていたキャップをはめて取っ手としてもよい。容器の場合は、ペットボトルの底部側を利用することが考えられる。商品例としては、植物花などのポットや、かいわれ大根の容器などさまざまな容器が挙げられる。【０００８】  本考案の請求項１は、ペットボトルにはさまざまな形状や大きさがあり、その中で取っ手がついているペットボトルの場合は、その取っ手をスコップまたは容器の取っ手として利用することができる。【０００９】  本考案の請求項２は、ペットボトルの中央胴体部分を最終形状となるスコップまたは容器の形になるようにカットしたもので、かつ、取り扱いやすい取っ手を取付けてなるスコップである。【００１０】  本考案の請求項３は、ペットボトルの口部に接続可能な、キャップ以外の治具または取っ手またはジョイントである。【００１１】  本考案の請求項３は、ペットボトルの空き容器そのものに治具または取っ手またはジョイントを取付けることで、ペットボトルとしての目的とは全く別の用途の商品とできるものとした。全く別の用途の商品とは、玩具のバットであったり、ペットボトル部に水を入れるようにしたバーベルであったり、マラカスなど、接続するジョイントでさまざまな商品にできる特徴をもつ。【００１２】  本考案の請求項３の治具または取っ手またはジョイントの接続部は、ペットボトルの口部に合うねじ式や、はめあい式や、組込み式や、ねじ固定式や、溶着式などさまざまな方法が挙げられる。【００１３】  請求項４は、ペットボトルの表面またはペットボトルのラベルに、ペットボトルが空き容器になった後にカットするラインまたは目安または加工する位置目安が表示されており、それに準じて加工するとスコップまたは容器またはその他の用途として使用できることをデザインのなかに盛り込まれたペットボトルである。【００１４】  請求項４のペットボトルが空き容器になった後にカットするラインまたは目安または加工する位置目安の表示は、ラインであったり、模様であったり、色分けであったり、シールであったり、凹凸であったり、認識できるものであればすべてを含む。【００１５】  請求項４のペットボトルの表面またはペットボトルのラベルに、ペットボトルが空き容器になった後にカットするラインまたは目安または加工する位置目安が表示されており、それに準じて加工するとスコップまたは容器またはその他の用途として使用できることをデザインのなかに盛り込まれたペットボトルは、飲み物などを保管する主たる目的の一次製品としてのペットボトルという本来の機能と、ペットボトルが空き容器となったあとに更なる二次製品とすることができる特徴をもつ。また、ペットボトルに工作的要素（切る、曲げる、穴を開ける、組む）が盛り込まれたようなペットボトルともいえる。
【産業上の利用可能性】
【００１６】  本考案は、ペットボトルという資源を有効に再利用し、他の用途としての機能をもたせた環境に配慮したペットボトルとして利用可能である。
【図面の簡単な説明】
【００１７】
【図１】請求項１および請求項２のペットボトルを再利用したことからなるスコップ、容器の代表例図である。また、取っ手を取付けた場合である。
【００１８】
【図２】請求項４のペットボトルの表面またはペットボトルのラベルに、ペットボトルが空き容器になった後にカットするラインまたは目安または加工する位置目安が表示されており、それに準じて加工するとスコップまたは容器またはその他の用途として使用できることをデザインのなかに盛り込まれたペットボトルの代表例図である。
【００１９】
【図３】請求項３のペットボトルの空き容器そのものに治具または取っ手またはジョイントを取付けることで、ペットボトルとしての目的とは全く別の用途の商品とできるものとした例図である。全く別の用途の商品とは、玩具のバットであったり、ペットボトル部に水を入れるようにしたバーベルなどである。
【００２０】
【図４】請求項４のペットボトルの表面またはペットボトルのラベルに、ペットボトルが空き容器になった後にカットするラインまたは目安または加工する位置目安が表示されており、それに凖じてカットおよび加工するとカニの模型を作成できるようにデザインのなかに盛り込まれたペットボトルの代表例図である。さまざまな工作物を作成できるデザインが考えられる。
【符号の説明】
【００２１】    １・・・スコップまたはペット用糞処理スコップまたは園芸用スコップまたはその他の容器
２・・・取っ手
３・・・ペットボトル
４・・・キャップ
５・・・治具または取っ手またはジョイント
６・・・カットするラインまたは目安または加工する位置目安の表示で、ラインであったり、模様であったり、色分けであったり、シールであったり、凹凸であったり、認識できるものの例
【図１】
0003144483.tif 000003
【図２】
0003144483.tif 000004
【図３】
0003144483.tif 000005
【図４】
0003144483.tif 000006
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの表面またはペットボトルのラベルに、ペットボトルが空き容器になった後にカットするラインまたは目安または加工する位置目安が表示されており、それに準じて加工すると予め設定された用途として使用できることを特徴とするペットボトル。
【手続補正２】
【補正対象書類名】明細書
【補正対象項目名】全文
【補正方法】変更
【補正の内容】
【考案の詳細な説明】
【技術分野】
【０００１】  本考案は、ペットボトルの空き容器をリサイクルのための粉砕加工をせずに再利用できるようにペットボトルの表面またはペットボトルのラベルに、ペットボトルが空き容器になった後にカットするラインまたは目安または加工する位置目安が表示されており、それに準じて加工すると予め設定された用途として使用できるペットボトルに関するものである。
【背景技術】
【０００２】  ペットボトルは消費者に内容物を使用されたのち、ペットボトル回収制度により回収され、メーカーで洗浄や粉砕や加工工程を経て、新たな商品としてリサイクルされている。リサイクルされた商品としては、カッターシャツやプラスチック用品がある。
【考案の開示】
【考案が解決しようとする課題】
【０００３】  ペットボトルの空き容器の有効利用が課題である。
【課題を解決するための手段】
【０００４】  本考案の請求項１のペットボトルは、ペットボトルの空き容器をリサイクルのための粉砕加工をせずに再利用できるようにペットボトルの表面またはペットボトルのラベルに、ペットボトルが空き容器になった後にカットするラインまたは目安または加工する位置目安が表示されており、それに準じて加工すると予め設定された用途として使用できるようにした。
【考案の効果】
【０００５】  本考案の請求項１によれば、ペットボトルの空き容器を利用して、新たな用途としての機能を果たすことができる。消費者の視点からは、新たな用途として利用できるという楽しみを感じるペットボトルとして、メーカーの視点からは、低コストのペットボトルの再利用としての効果がある。
【考案を実施するための最良の形態】
【０００６】  請求項１は、ペットボトルの表面またはペットボトルのラベルに、ペットボトルが空き容器になった後にカットするラインまたは目安または加工する位置目安が表示されており、それに準じて加工するとスコップまたは容器またはその他の予め設定された用途として使用できることをデザインのなかに盛り込まれたペットボトルである。【０００７】  請求項１のペットボトルが空き容器になった後にカットするラインまたは目安または加工する位置目安の表示は、ラインであったり、模様であったり、色分けであったり、シールであったり、凹凸であったり、認識できるものであればすべてを含む。【０００８】  請求項１のペットボトルは、飲み物などを保管する主たる目的の一次製品としてのペットボトルという本来の機能と、ペットボトルが空き容器となったあとに更なる二次製品とすることができる特徴をもつ。また、ペットボトルに工作的要素（切る、曲げる、穴を開ける、組む）が盛り込まれたようなペットボトルともいえる。
【産業上の利用可能性】
【０００９】  本考案は、ペットボトルという資源を有効に再利用し、他の用途としての機能をもたせた環境に配慮したペットボトルとして利用可能である。
【図面の簡単な説明】
【００１０】
【図１】請求項１のペットボトルの表面またはペットボトルのラベルに、ペットボトルが空き容器になった後にカットするラインまたは目安または加工する位置目安が表示されており、それに準じてカットおよび加工するとスコップまたは容器を作成できるようにデザインのなかに盛り込まれたペットボトルの加工後の例図である。
【００１１】
【図２】請求項１のペットボトルの表面またはペットボトルのラベルに、ペットボトルが空き容器になった後にカットするラインまたは目安または加工する位置目安が表示されており、それに準じて加工するとスコップまたは容器またはその他の用途として使用できることをデザインのなかに盛り込まれたペットボトルの代表例図である。ペットボトルにはさまざまな形状や大きさがあり、その中で取っ手がついているペットボトルの場合は、その取っ手をスコップまたは容器などの取っ手として利用することができる。
【００１２】
【図３】請求項１のペットボトルの表面またはペットボトルのラベルに、ペットボトルが空き容器になった後にカットするラインまたは目安または加工する位置目安が表示されており、それに準じてカットおよび加工するとカニの模型や鉛筆立てを作成できるようにデザインのなかに盛り込まれたペットボトルの代表例図である。さまざまな製品を作成できるデザインが考えられる。
【符号の説明】
【００１３】    １・・・予め設定された用途がスコップまたはペット用糞処理スコップまたは園芸用スコップまたは容器であった場合の加工後の例図
２・・・ペットボトル
３・・・キャップ
４・・・カットするラインまたは目安または加工する位置目安の表示で、ラインであったり、模様であったり、色分けであったり、シールであったり、凹凸であったり、認識できるものの例
【手続補正３】
【補正対象書類名】図面
【補正対象項目名】全図
【補正方法】変更
【補正の内容】
【図１】
0003144483.tif 000007
【図２】
0003144483.tif 000008
【図３】
0003144483.tif 000009